(57)【要約】【課題】  スイング中のクラブヘッドの軌道を確実に視認することができ、且つ、安価に製造可能なゴルフクラブを提供することにある。【解決手段】  このゴルフクラブ１のクラブヘッド２のトップ面４における、フェース面３のスイートスポット部3aに対応する位置には、マーク６が、フェース面３に近接した位置からクラブヘッド２のバックフェース面５側に向かってターゲットライン20に沿って延びて設けられている。このマーク６は、ゴルフボール10の直径Ｄに相当する幅Ｗを有し且つトップ面４の色とは異色である。【選択図】      図１
2005270180.tif 000002
【特許請求の範囲】
【請求項１】
クラブヘッドのトップ面における、クラブヘッドのフェース面のスイートスポット部に対応する位置に、ゴルフボールの直径に相当する幅を有し且つ前記トップ面の色とは異色のマークが、前記フェース面に近接した位置からクラブヘッドのバックフェース面側に向かってターゲットラインに沿って延びて設けられていることを特徴とするゴルフクラブ。
【請求項２】
前記マークは、ターゲットライン方向に長軸が向いた楕円状ないし長円状のものである請求項１記載のゴルフクラブ。
【請求項３】
前記マークの色が蛍光色である請求項１又は２記載のゴルフクラブ。
【請求項４】
前記トップ面の色が黒色であり、
前記マークの色が白色又は蛍光色である請求項１又は２記載のゴルフクラブ。
【請求項５】
ドライバー、スプーン等のウッドクラブである請求項１〜４のいずれか１項記載のゴルフクラブ。
【請求項６】
ゴルフ練習用のものである請求項１〜５のいずれか１項記載のゴルフクラブ。
【発明の詳細な説明】
【技術分野】
【０００１】
この発明は、ゴルフ場やゴルフ練習場等で使用されるゴルフクラブに関する。
【背景技術】
【０００２】
例えばゴルフの初心者がドライバー等のゴルフクラブでゴルフボールを打つと、ボールがスライスしたりフックしたりするなど、意図していない方向にボールが曲がることがよくある。その原因は多数あるが、その一つは、スイング中のクラブヘッドが正しい軌道を通過していないことにある。
【０００３】
そのため、いわゆる「打ちっ放し」と呼ばれるゴルフ練習場では、スイング中のクラブヘッドが正しい軌道を通っているか否について目視にて確認をしながら、打撃練習が行われる。しかしながら、スイングは瞬時に行われるので、その確認をするのが難しい。
【０００４】
そこで、その確認を容易にするために、登録実用新案第３０８１７７９号公報では、クラブヘッドのトップ面の所定位置に表示を設けたゴルフクラブ（特許文献１参照）や、登録実用新案第３０３０５８２号公報では、クラブヘッドのトップ面に光ファイバーの光導出部を設けたゴルフクラブ（特許文献２参照）が提案されている。
【特許文献１】登録実用新案第３０８１７７９号公報（請求項１、第１図）
【特許文献２】登録実用新案第３０３０５８２号公報（請求項１、第１図）
【発明の開示】
【発明が解決しようとする課題】
【０００５】
しかしながら、前者のゴルフクラブでは、クラブヘッドのトップ面に設ける表示は、動物、植物等であるため、スイング中のクラブヘッドの軌道を確認し難いという難点があった。また、後者のゴルフクラブでは、光ファイバーをクラブヘッドに取り付ける必要があるので、製造コストが高く付くという難点があった。
【０００６】
この発明は、上述した技術背景に鑑みてなされたもので、その目的は、スイング中のクラブヘッドの軌道を確認し易く、且つ、安価に製造可能なゴルフクラブを提供することにある。
【課題を解決するための手段】
【０００７】
上記目的を達成するため、本発明に係るゴルフクラブは、クラブヘッドのトップ面における、クラブヘッドのフェース面のスイートスポット部に対応する位置に、ゴルフボールの直径に相当する幅を有し且つ前記トップ面の色とは異色のマークが、前記フェース面に近接した位置からクラブヘッドのバックフェース面側に向かってターゲットラインに沿って延びて設けられていることを特徴とする。
【０００８】
このゴルフクラブでは、クラブヘッドのトップ面における、クラブヘッドのフェース面のスイートスポット部に対応する位置に、所定のマークが設けられているので、このマークがゴルフボールを置いた位置を通過するようにスイングをすることにより、ゴルフボールをフェース面のスイートスポット部に正確に当てることができる。
【０００９】
さらに、このマークは、ゴルフボールの直径に相当する幅を有するとともに、フェース面に近接した位置からクラブヘッドのバックフェース面側に向かって延びているので、スイング時において、ゴルフボールに対してマークの位置を合わせ易い。
【００１０】
加えて、このマークの色はトップ面の色とは異色であるし、その上、このマークは、フェース面に近接した位置からクラブヘッドのバックフェース面側に向かってターゲットラインに沿って延びているので、スイング時にマークが残像として残り易く、スイング中のクラブヘッドの軌道を目視にて確認し易い。しかも、このマークはゴルフボールの直径に相当する幅を有していることから、打撃前のティーアップした位置でのゴルフボールの視覚残像に対し、スイングしたときにマークから与えられる残像が一致しているかずれているかによって、スイング中のクラブヘッドが正しい軌道を通っているか否について正確な判定をすることができる。
【００１１】
もとより、クラブヘッドのトップ面にマークを設けることにより、本発明に係るゴルフクラブが得られるから、安価にゴルフクラブを製造することができる。
【００１２】
また、前記マークは、ターゲットライン方向に長軸が向いた楕円状ないし長円状のものであることが望ましい。
【００１３】
この場合には、マークの長軸がゴルフボールが置かれた位置の中心を通過するようにスイングをすることにより、ゴルフボールをフェース面のスイートスポット部に更に正確に当てることができる。
【００１４】
また、前記マークの色が蛍光色であることが望ましい。
【００１５】
この場合には、スイング時にマークが残像として更に残り易くなり、スイング中のクラブヘッドの軌道を目視にて更に確認し易くなる。そのため、スイング中のクラブヘッドが正しい軌道を通っているか否について更に正確な判定をすることができる。
【００１６】
また、前記トップ面の色が黒色であり、前記マークの色が白色又は蛍光色であることが望ましい。
【００１７】
この場合には、スイング時にマークが残像として更に一層残り易くなり、スイング中のクラブヘッドの軌道を目視にて更に一層確認し易くなる。そのため、スイング中のクラブヘッドが正しい軌道を通っているか否について更に一層正確な判定をすることができる。
【００１８】
また、本発明に係るゴルフクラブは、ドライバー、スプーン等のウッドクラブであることが望ましい。
【００１９】
この場合には、一般的に、ドライバーやスプーン等のウッドクラブは、アイアンクラブよりも長尺なシャフトが用いられているために、より正確なスイングが要求されるが、本発明に係るゴルフクラブによれば、そのようなウッドクラブであっても、上記の効果を奏し得る。
【００２０】
なお、ウッドクラブとしては、ドライバー（１番ウッド）、ブラッシー（２番ウッド）、スプーン（３番ウッド）、バッフィ（４番ウッド）、クリーク（５番ウッド）等が挙げられる。
【００２１】
また、本発明に係るゴルフクラブは、ゴルフ練習用のものであっても良い。ゴルフ練習用のゴルフクラブとして、ゴルフの打撃練習用のものや、ゴルフクラブのスイング練習用のもの等が挙げられる。
【発明の効果】
【００２２】
本発明に係るゴルフクラブによれば、クラブヘッドのトップ面における、クラブヘッドのフェース面のスイートスポット部に対応する位置に、所定のマークが設けられているので、このマークがゴルフボールを置いた位置を通過するようにスイングをすることにより、ゴルフボールをフェース面のスイートスポット部に正確に当てることができる。
【００２３】
さらに、このマークはゴルフボールの直径に相当する幅を有するとともに、フェース面に近接した位置からクラブヘッドのバックフェース面側に向かって延びているので、スイング時において、ゴルフボールに対してマークの位置を合わせ易い。
【００２４】
加えて、このマークの色はトップ面の色とは異色であるし、その上、このマークは、フェース面に近接した位置からクラブヘッドのバックフェース面側に向かってターゲットライン方向に延びているので、スイング時にマークが残像として残り易く、スイング中のクラブヘッドの軌道を視覚にて確認し易い。しかも、このマークはゴルフボールの直径に相当する幅を有していることから、打撃前のティーアップした位置でのゴルフボールの視覚残像に対し、スイングしたときにマークから与えられる残像が一致しているかずれているかによって、スイング中のクラブヘッドが正しい軌道を通っているか否について正確な判定をすることができる。
【００２５】
もとより、クラブヘッドのトップ面にマークを設けることにより、本発明に係るゴルフクラブが得られるから、安価にゴルフクラブを製造することができる。
【００２６】
また、マークは、ターゲットライン方向に長軸が向いた楕円状ないし長円状のものである場合には、マークの長軸がゴルフボールが置かれた位置の中心を通過するようにスイングをすることにより、ゴルフボールをフェース面のスイートスポット部に更に正確に当てることができる。
【００２７】
また、マークの色が蛍光色である場合には、スイング時にマークが残像として更に残り易くなり、スイング中のクラブヘッドの軌道を目視にて更に確認し易くなる。そのため、スイング中のクラブヘッドが正しい軌道を通っているか否について更に正確な判定をすることができる。
【００２８】
また、トップ面の色が黒色であり、マークの色が白色又は蛍光色である場合には、スイング時にマークが残像として更に一層残り易くなり、スイング中のクラブヘッドの軌道を目視にて更に一層確認し易くなる。そのため、スイング中のクラブヘッドが正しい軌道を通っているか否について更に一層正確な判定をすることができる。
【００２９】
また、本発明に係るゴルフクラブが、ドライバーやスプーン等のウッドクラブである場合であっても、上記の効果を奏し得る。
【発明を実施するための最良の形態】
【００３０】
次に、本発明の好ましい一実施形態について図面に基づいて説明する。
【００３１】
図１において、（１）は本施形態に係るゴルフクラブである。このゴルフクラブ（１）は、いわゆる「打ちっ放し」と呼ばれるゴルフ練習場で使用されるウッドクラブであり、詳述するとドライバーである。図１は、このゴルフクラブ（１）をアドレスしたときの状態を示している。
【００３２】
このゴルフクラブ（１）の所定長さを有するシャフト（７）の先端部にはクラブヘッド（２）が設けられている。
【００３３】
本発明では、このクラブヘッド（２）の材質は限定されるものではなく、ステンレス鋼、カーボン、チタン（その合金を含む。）等が挙げられる。
【００３４】
また同図において、Ｄは、ゴルフボール（20）の直径であり、一般に、４２．６７ｍｍか４２．６７ｍｍ以上に設定されている。
【００３５】
また、（３）は、このゴルフクラブ（１）のクラブヘッド（２）のフェース面であり、（3a）はこのフェース面（３）のスイートスポット部である。また、（４）はクラブヘッド（２）のトップ面であり、（５）はクラブヘッド（２）のバックフェース面である。
【００３６】
クラブヘッド（２）のトップ面（４）は、スイング時の空気抵抗の減少等を図るために、従来品と同様に湾曲している。また、このトップ面（４）の色は、黒色である。
【００３７】
このクラブヘッド（２）のトップ面（４）における、フェース面（３）のスイートスポット部（3a）に対応する位置には、マーク（６）が、同図に示すように、アドレス時に、フェース面（３）に近接した位置からバックフェース面（５）側に向かってターゲットライン（20）に沿って延びる態様に、印刷等によって設けられている。
【００３８】
このマーク（６）の色は、クラブヘッド（２）のトップ面（４）の色（即ち黒色）とは異なる色である。このマーク（６）の好ましい色については後述する。
【００３９】
このマーク（６）は同図に示すように平面視で長円状のものであり、且つ、該マーク（６）の長軸（6a）は、ターゲットライン（20）方向に向いており、詳述するとターゲットライン（20）の延長線上に配置されている。
【００４０】
さらに、このマーク（６）は、ゴルフボール（10）の直径Ｄに相当する幅Ｗを有している。
【００４１】
本発明では、このマーク（６）の幅Ｗは、０．８Ｄ〜１．２Ｄの範囲に設定されていることが望ましく、更に０．９Ｄ〜１．１Ｄの範囲に設定されていることが望ましく、特にＤと同寸（即ちＷ＝Ｄ）に設定されていることが望ましい。
【００４２】
また、このマーク（６）は、上述したようにフェース面（３）に近接した位置からバックフェース面（５）側に向かって延びているが、また本発明では、このマーク（６）の長軸方向の両端部のうち、フェース面（３）側の端部の周縁は、フェース面（３）の上縁（3b）に接していても良いし、あるいはフェース面（３）の上縁（3b）から離間していても良い。詳述すると、このマーク（６）の、フェース面（３）側の端部の周縁と、フェース面（３）の上縁（3b）との間の距離は、短い方が望ましく、具体的に示すと、この距離は０〜８ｍｍの範囲に設定されていることが望ましく、更に０〜５ｍｍの範囲に設定されていることが望ましく、特に０〜２ｍｍの範囲に設定されていることが望ましい。
【００４３】
而して、本実施形態のゴルフクラブ（１）では、ゴルフ練習場等において、ティーアップをしたゴルフボール（10）をこのゴルフクラブ（１）で打つ場合において、クラブヘッド（２）のトップ面（４）に設けたマーク（６）がゴルフボール（10）を置いた位置を通過するようにスイングをすることにより、ゴルフボール（10）をフェース面（３）のスイートスポット部（3a）に正確に当てることができる。
【００４４】
さらに、このマーク（６）は、ゴルフボール（10）の直径Ｄに相当する幅Ｗを有するとともに、フェース面（３）に近接した位置からクラブヘッド（２）のバックフェース面（５）側に向かって延びているので、スイング時において、ゴルフボール（10）に対してマーク（６）の位置を合わせ易い。
【００４５】
加えて、このマーク（６）の色はトップ面（４）の色とは異色であるし、その上、このマーク（６）は、フェース面（３）に近接した位置からクラブヘッド（２）のバックフェース面（５）側に向かってターゲットライン（20）に沿って延びているので、スイング時にマーク（６）が残像として残り易く、スイング中のクラブヘッド（２）の軌道を目視にて確認し易い。しかも、このマーク（６）はゴルフボール（10）の直径Ｄに相当する幅Ｗを有していることから、打撃前のティーアップした位置でのゴルフボール（10）の視覚残像に対し、スイングしたときにマーク（６）から与えられる残像が一致しているかずれているかによって、スイング中のクラブヘッド（２）が正しい軌道を通っているか否について正確な判定をすることができる。
【００４６】
もとより、クラブヘッド（２）のトップ面（４）にマーク（６）を印刷等によって付すことにより、所望するゴルフクラブ（１）が得られるから、安価にゴルフクラブ（１）を製造することができる。
【００４７】
なお本発明では、このマーク（６）の色は、クラブヘッド（２）のトップ面（４）の色とは異なる色であれば、限定されるものではないが、黄色、赤色、緑色等の蛍光色であることが望ましい。こうすることにより、スイング時にマーク（６）が残像として更に残り易くなり、スイング中のクラブヘッド（２）の軌道を目視にて更に確認し易くなる。ここで、本実施形態のクラブヘッド（２）では、トップ面（４）の色は上述したように黒色であることから、マーク（６）の色は、白色であるか、又は黄色、赤色、緑色等の蛍光色であることが特に望ましい。こうすることにより、スイング時にマーク（６）が残像として更に一層残り易くなり、スイング中のクラブヘッド（２）の軌道を目視にて更に一層確認し易くなる。そのため、スイング中のクラブヘッド（２）が正しい軌道を通っているか否について更に一層正確な判定をすることができる。
【００４８】
以上で、本発明の一実施形態を説明したが、本発明は上記実施形態に限定されるものではなく、様々に設定変更可能である。
【００４９】
例えば、マーク（６）は、上記実施形態では平面視で長円状のもであるが、本発明では平面視で楕円状のものであっても良い。
【産業上の利用可能性】
【００５０】
本発明は、ゴルフ場やゴルフ練習場においてウッドクラブ等として用いられるゴルフクラブに利用可能である。
【図面の簡単な説明】
【００５１】
【図１】本発明の一実施形態に係るゴルフクラブのクラブヘッドを、ゴルフボールと一緒に示した平面図である。
【符号の説明】
【００５２】
１：ゴルフクラブ
２：クラブヘッド
３：フェース面
3a：スイートスポット部
４：トップ面
６：マーク
10：ゴルフボール
20：ターゲットライン
【図１】
2005270180.tif 000003